(57)【要約】【課題】消費者が使いやすく、安全で環境にやさしい二重加圧容器、吐出装置、ディスペンサーシステムを提供する。【解決手段】外部容器１３と、その外部容器１３の内部に収容されている可撓性を有する内部容器１４と、前記外部容器１３と内部容器１４のうち、少なくとも一方に固着され、外部容器１３と内部容器１４の両方を封止する蓋体１５とからなり、前記内部容器１４の内部が原液Ｃを充填するための原液収容室であり、前記外部容器１３と内部容器１４の間が加圧剤Ｐを充填するための加圧剤収容室であり、前記蓋体１５が、原液収容室を開封するための被開封部１５ｄを備えている二重加圧容器１１。【選択図】図１
2020019570.tif 000002
【特許請求の範囲】
【請求項１】
外部容器と、
その外部容器の内部に収容されている可撓性を有する内部容器と、
前記外部容器と内部容器のうち、少なくとも一方に固着され、外部容器と内部容器の両方を封止するための蓋体とからなり、
前記内部容器の内部が原液を充填するための原液収容室であり、
前記外部容器と内部容器の間が加圧剤を充填するための加圧剤収容室であり、
前記蓋体が原液収容室を開封するための被開封部を備えている、
二重加圧容器。
【請求項２】
前記蓋体が、外部容器および内部容器の上端面を覆うフランジと、内部容器の開口に挿入される有底筒状の封止部とを備えており、
前記封止部の底部に被開封部を備えている
請求項１記載の二重加圧容器。
【請求項３】
前記内部容器が、外部容器の上端面に保持されるフランジを備えており、
前記蓋体のフランジが、内部容器の上端面を覆う環状円板部と、内部容器のフランジの外周面を内挿する外筒部とを備えている、
請求項２記載の二重加圧容器。
【請求項４】
前記内部容器の上端面または蓋体の環状円板部の下面に環状突起が設けられており、
前記外部容器の上端面または蓋体の外筒部の下端面に環状突起が設けられている、
請求項３記載の二重加圧容器。
【請求項５】
前記外部容器の上端面と内部容器の上端面とが同一の高さにされ、
前記蓋体のフランジが、内部容器の上端面および外部容器の上端面を覆っている、
請求項２記載の二重加圧容器。
【請求項６】
前記外部容器の上端内周に、環状段部が形成されており、
前記内部容器が、外部容器の環状段部に保持されるフランジを備えている、
請求項５記載の二重加圧容器。
【請求項７】
前記蓋体のフランジと封止部の基部に、溶着のための傾斜部が形成されている請求項５または６記載の二重加圧容器。
【請求項８】
前記封止部が、内部容器の首部の内面に沿って下方に延びる内筒部と、その内筒部の内側の下方で内筒部と同心状に設けられる嵌合筒部と、前記内筒部の下端と嵌合筒部の上端とを繋ぐ連結部と、嵌合筒部の下端よりいくらか上の部分を閉じる底部とを有し、
前記嵌合筒部の底部に前記被開封部が設けられている請求項２〜７いずれか記載の二重加圧容器。
【請求項９】
前記封止部が、内部容器の首部の内面に沿って下方に延びる内筒部と、その内筒部の内側で内筒部と同心状に設けられる嵌合筒部と、前記内筒部と嵌合筒部の下端同士を繋ぐ連結部と、嵌合筒部の下端よりいくらか上の部分を閉じる底部とを有し、
前記嵌合筒部の底部に前記被開封部が設けられている請求項２〜７いずれか記載の二重加圧容器。
【請求項１０】
前記内部容器の首部が円筒状の上部と、下方に向かって細くなっていくテーパー部とを有し、
前記蓋体の内筒部の下部が内部容器の首部のテーパー部と嵌合する請求項９記載の二重加圧容器。
【請求項１１】
請求項１〜９いずれか記載の二重加圧容器と、
前記原液収容室に充填された原液と、
前記加圧剤収容室に充填された加圧剤とからなる
吐出製品。
【請求項１２】
前記蓋体の固着が溶着であり、
前記被開封部が原液収容室の原液と接触している
請求１１記載の吐出製品。
【請求項１３】
請求項１１または１２記載の吐出製品に用いられる吐出部材であって、
前記外部容器に着脱自在に装着される装着部と、
前記蓋体の被開封部を開封する開封部と、
前記開封部を介して内部容器と連通し、外部との連通／遮断を切り換える弁と、
その弁に取り付けられ、操作により原液を吐出する操作部とを備えている
吐出部材。
【請求項１４】
請求項１１または１２記載の吐出製品と、その吐出製品に着脱自在に取り付けられる請求項１３記載の吐出部材とからなる吐出装置。
【請求項１５】
原液収容室に第１原液を充填している請求項１４記載の吐出装置からなる第１の吐出装置のグループと、
原液収容室に前記第１原液とは異なる第２原液を充填している請求項１４記載の吐出装置からなる第２の吐出装置のグループとからなり、
前記第１および第２のグループの吐出装置の吐出部材が、同一グループの吐出製品への装着が可能で、他のグループの吐出製品に装着ができないようにされている、
ディスペンサーシステム。
【発明の詳細な説明】
【技術分野】
【０００１】
本発明は二重加圧容器、吐出製品、吐出部材、吐出装置およびそれらを用いたディスペンサーシステムに関する。
【背景技術】
【０００２】
特許文献１の図１１には、上端に開口部を有する容器本体と、その開口部を閉じ、容器本体に固定されるバルブ収容部とからなり、バルブ収容部が、筒状のハウジング部と、そのハウジング部の底面に形成した孔に脱落可能に嵌合する開封部とを備えた内容物収容容器が開示されている。また、特許文献１の図７には、バルブ収容部の底部に破断により開封する閉鎖部を設けた内容物収納容器が開示されている。これらはバルブ収容部にポンプのバルブあるいはエアゾールバルブを着脱自在に収容し、ネジキャップで固定することにより、ディップチューブで開封部を脱落させて、あるいは閉鎖部を破断して使用する。そのため、バルブは繰り返し使用することができ、内容物収容容器は安価に製造できる利点がある。
【０００３】
特許文献２には、外部容器と、その外部容器に収容される内部容器と、前記外部容器および内部容器を閉じるバルブアッセンブリとからなる二層吐出容器が開示されている。この特許文献２には、内部容器に原液を充填し、内部容器と外部容器の間に加圧剤を充填する技術および外部容器と内部容器を二軸延伸ブロー成形で同時に成形する技術が記載されている。
【先行技術文献】
【特許文献】
【０００４】
【特許文献１】ＷＯ２０１５／８０２５２号公報
【特許文献２】特開２０１６−１６８９６号公報
【発明の概要】
【発明が解決しようとする課題】
【０００５】
特許文献１の内容物収容容器は、ディップチューブを備えたバルブを螺着することにより開封するので、ディップチューブの湾曲により先端が開封部の位置からずれ易い。またディップチューブは柔らかい素材のため開封時に折れ曲がりやすく、開封操作しにくい。また、誤って上下を逆にして吐出すると、加圧剤のみが吐出し、残りの原液を吐出することができなくなる。容器が合成樹脂製の場合、輸送時、倉庫保管時、店頭陳列時などの流通過程で落下したときに破損して加圧剤や原液が漏れることがある。
【０００６】
特許文献２の二層吐出容器は、原液と加圧剤が別々に充填されているので、ディップチューブを用いる必要がなく、吐出部材は簡易である。しかしバルブが吐出容器から突出しているため、流通過程でバルブが作動しないように厳重に保護する必要がある。さらにバルブ付きで流通するので、バルブを通して内容物が漏れる可能性がある。
【０００７】
本発明は、流通時の安全性が高く、消費者が使いやすく、安全で環境にやさしい、二重加圧容器、吐出製品、吐出部材、吐出装置およびディスペンサーシステムを提供することを技術課題としている。
【課題を解決するための手段】
【０００８】
本発明の二重加圧容器１１、３１は、外部容器１３、３３と、その外部容器１３、３３の内部に収容されている可撓性を有する内部容器１４、３４と、前記外部容器１３、３３と内部容器１４、３４のうち、少なくとも一方に固着され、外部容器１３、３３と内部容器１４、３４の両方を封止するための蓋体１５、３５とからなり、前記内部容器１４、３４の内部が原液Ｃを充填するための原液収容室であり、前記外部容器１３、３３と内部容器１４、３４の間が加圧剤Ｐを充填するための加圧剤収容室であり、前記蓋体１５、３５が、原液収容室を開封するための被開封部１５ｄ、４４を備えていることを特徴としている。
【０００９】
このような二重加圧容器１１、３１においては、前記蓋体１５、３５が、外部容器１３、３３および内部容器１４、３４の上端面を覆うフランジ１５ｂ、４０と、内部容器１４、３４の開口に挿入される有底筒状の封止部１５ａ、３９を備えており、前記封止部１５ａ、３９の底部１５ｃ、４２に被開封部１５ｄ、４４を備えているものが好ましい。
【００１０】
前記内部容器３４が、外部容器３３の上端面１３ｆに保持されるフランジ３８ｂを備えており、前記蓋体３５のフランジ４０が、内部容器３４の上端面３８ａを覆う環状円板部４６と、内部容器３４のフランジ４０の外周面を内挿する外筒部４７とを備えているものが好ましい。
【００１１】
前記内部容器３４の上端面３８ａまたは蓋体３５の環状円板部４６の下面に環状突起３８ｃが設けられており、前記外部容器３３の上端面３６ａまたは蓋体３５の外筒部４７の下端面に環状突起３６ｂが設けられているものが好ましい。
【００１２】
前記外部容器１３の上端面１３ｆと内部容器１４の上端面１４ｅとが同一の高さにされ、前記蓋体１５のフランジ１５ｂが、内部容器１４の上端面１４ｅおよび外部容器１３の上端面１３ｆを覆っているものが好ましい。その場合、前記外部容器１３の上端内周に、環状段部１３ｈが形成されており、前記内部容器１４が、外部容器１３の環状段部１３ｈに保持されるフランジ１４ｆを備えているものが好ましい。また、前記蓋体１５のフランジ１５ｂと封止部１５ａの基部に、溶着のための傾斜部１５ｂ２が形成されていてもよい。
【００１３】
前記封止部３９が、内部容器１４の首部１４ｄの内面に沿って下方に延びる内筒部と、その内筒部の内側の下方で内筒部と同心状に設けられる嵌合筒部４１と、前記内筒部の下端と嵌合筒部４１の上端とを繋ぐ連結部と、嵌合筒部４１の下端よりいくらか上の部分を閉じる底部４２とを有し、前記嵌合筒部４１の底部４２に前記被開封部４４が設けられているものが好ましい。
【００１４】
前記封止部１５ａが、内部容器１４の首部１４ｄの内面に沿って下方に延びる内筒部１５ａ１と、その内筒部１５ａ１の内側で内筒部１５ａ１と同心状に設けられる嵌合筒部（封止筒部）１５ａ２と、前記内筒部と嵌合筒部１５ａ２の下端同士を繋ぐ連結部１５ａ６と、嵌合筒部１５ａ２の下端１５ａ５よりいくらか上の部分を閉じる底部１５ｃとを有し、前記嵌合筒部１５ａ２の底部１５ｃに前記被開封部１５ｄが設けられているものが好ましい。その場合は、前記内部容器１４の首部１４ｄが円筒状の上部１４ｄ１と、下方に向かって細くなっていくテーパー部１４ｄ２とを有し、前記蓋体１５の内筒部の下部が内部容器１４の首部１４ｄのテーパー部１４ｄ２と嵌合する二重加圧容器５８がさらに好ましい。
【００１５】
本発明の吐出製品１１ａ、３１ａは、前述のいずれかの二重加圧容器１１、３１と、前記原液収容室に充填された原液Ｃと、前記加圧剤収容室に充填された加圧剤Ｐとからなる。この吐出製品１１ａ、３１ａでは、前記蓋体１５、３５の固着が溶着であり、前記被開封部１５ｄ、４４が原液収容室の原液Ｃと接触しているものが好ましい。
【００１６】
本発明の吐出部材１２、３２は、前記いずれかの吐出製品１１ａ、３１ａに用いられる吐出部材１２、３２であって、前記外部容器１３、３３に着脱自在に装着される装着部（２０）と、前記蓋体１５、３５の被開封部１５ｄ、４４を開封する開封部２７と、前記開封部２７を介して内部容器１４、３４と連通し、外部との連通／遮断を切り換える弁（２１）と、その弁（２１）に取り付けられ、操作により原液Ｃを吐出する操作部（２３）とを備えていることを特徴としている。
【００１７】
本発明の吐出装置１０、３０は、前記いずれかの吐出製品１１ａ、３１ａと、その吐出製品１１ａ、３１ａに着脱自在に取り付けられる前述の吐出部材１５、３２とからなる。本発明のディスペンサーシステムは、原液収容室に第１原液を充填している前述の吐出装置１０、３０からなる第１吐出装置のグループと、原液収容室に前記第１原液とは異なる第２原液を充填している前述の吐出装置１０、３０からなる第２吐出装置のグループとからなり、前記第１および第２の吐出装置１０の吐出部材１５、３２が、同一グループの吐出製品１１ａ、３１ａへの装着が可能で、他のグループの吐出製品１１ａ、３１ａに装着ができないようにされていることを特徴としている。
【発明の効果】
【００１８】
本発明の二重加圧容器は、内部容器に原液を充填して用いる。そして蓋体が、原液収容室である内部容器を封止すると共に、開封可能な被開封部を備えているため、被開封部を開封する専用の吐出部材がなければ吐出することができない。そのため流通時に誤噴射されることがなく、安全性が高い。また、外部容器および内部容器が共に合成樹脂製の場合は、内部容器の原液収容室に原液を充填し、外部容器と内部容器の間の加圧剤収容室に加圧剤を充填すると外部容器は加圧剤の圧力により弾力性が高くなり、落下などの衝撃に強く、内部容器への影響が少なくなる。さらに万一、衝撃によって外部容器に亀裂が入っても、加圧剤（圧縮ガス）が抜けるだけで原液は飛散しない。そのため一層安全性が高い。なお、原液を原液収容室内に液密状態で充填し、内部容器の肩部と底部が外部容器の肩部と底部にそれぞれ当接している場合は、特に、弾力性が高くなり、落下による衝撃に強くなる。
【００１９】
このように二重加圧容器の安全性が高いため、危険品を送るような強固な専用コンテナが不要になり、輸送しやすくなる。また消費者がインターネット販売で購入しやすくなる。
【００２０】
前記蓋体が、外部容器および内部容器の上端面を覆うフランジ部と、内部容器の開口に挿入される有底筒状の封止部を備えており、前記封止部の底部に被開封部を備えている二重加圧容器は、被開封部が奥の方にあるため、専用の吐出部材なしでは消費者は一層開封・吐出しにくくなる。そのためさらに安全性が高い。また、フランジを有するので、外部容器または内部容器に固着しやすい。
【００２１】
前記内部容器が、外部容器の上端面に保持されるフランジを備えており、前記蓋体のフランジが、内部容器の上端面を覆う環状円板部と、内部容器のフランジの外周面を内挿する外筒部とを備えている場合は、加圧剤収容室に加圧剤を充填する際に原液収容室に混入しにくい。また蓋体を溶着により固着する場合でも、蓋体の滑りを防止することができ、被開封部の位置がずれにくい。
【００２２】
前記内部容器の上端面または蓋体の環状円板部の下面に環状突起が設けられており、前記外部容器の上端面または蓋体の外筒部の下端面に環状突起が設けられている場合は、蓋体と内部容器、蓋体と外部容器を１回の溶着工程で固着しやすい。
【００２３】
前記外部容器の上端面と内部容器の上端面とが同一の高さにされ、前記蓋体のフランジが、内部容器の上端面および外部容器の上端面を覆っている場合は、蓋体を外部容器および内部容器に固着しやすく、均等に固着しやすい。前記外部容器の上端内周に、環状段部が形成されており、前記内部容器が、外部容器の環状段部に保持されるフランジを備えている場合は、外部容器と内部容器の上端面を同一の高さに合わせやすく、蓋体を外部容器と内部容器に均等に固着しやすい。前記蓋体のフランジと封止部の基部に、溶着のための傾斜部が形成されている場合は、１個所のシールで水平方向と垂直方向の両方の固着およびシールが得られる。
【００２４】
前記封止部が、内部容器の首部の内面に沿って下方に延びる内筒部と、その内筒部の内側の下方で内筒部と同心状に設けられる嵌合筒部と、前記内筒部の下端と嵌合筒部の上端とを繋ぐ連結部と、嵌合筒部の下端よりいくらか上の部分を閉じる底部とを有し、前記底部に前記被開封部が設けられている場合は、嵌合筒部の内周面の寸法の精度を向上させることができる。そのため、バルブとのシールの確実性が向上する。
【００２５】
前記封止部が、内部容器の首部の内面に沿って下方に延びる内筒部と、その内筒部の内側で内筒部と同心状に設けられる嵌合筒部（封止筒部）と、前記内筒部と嵌合筒部の下端同士を繋ぐ連結部と、嵌合筒部の下端よりいくらか上の部分を閉じる底部とを有し、前記嵌合筒部の底部に前記被開封部が設けられている場合は、蓋体の上面にホーンを当接して超音波溶着をするとき、内筒部を通って下方に伝わる振動が原液側に伝わるので、底部の被開封部には伝わりにくい。そのため、超音波溶着時の振動によって被開封部が溶けたり脱落することを防止することができる。
【００２６】
前記内筒部と嵌合筒部の下端同士を繋ぐ連結部を有する二重加圧容器において、内部容器の首部が円筒状の上部と、下方に向かって細くなっていくテーパー部とを有し、前記蓋体の内筒部の下部が内部容器の首部のテーパー部と嵌合するテーパー状とされている場合は、原液の液面より上の空間（ヘッドスペース）が小さくなるので、使用者が使用を開始するとき、原液をスムーズに吐出することができる。
【００２７】
本発明の吐出製品は、前述の二重加圧容器を用いているので、その二重加圧容器の効果を奏する。また、前記蓋体の固着が溶着であり、前記被開封部が内部容器の原液と接触している吐出製品は、被開封部が原液によって冷却されるので、溶着時の熱やエネルギーが被開封部に伝達されるのを防ぎ、被開封部が溶けるなどの問題を抑制することができる。そのため、被開封部を開封しやすくするために薄くすることができる。
【００２８】
本発明の吐出部材は、外部容器に着脱自在に装着される装着部と、蓋体の被開封部を開封する開封部とを備えているので、消費者の意思で前述の吐出製品を開封することができる。また、原液を使い切って容器が空になると吐出部材を取り外し、取り外した吐出部材を新しい吐出製品に付け替えることができる。そのため、資源の節約に寄与する。
【００２９】
本発明の吐出装置は、前述の吐出製品と吐出部材を用いているので、それらによる効果が奏される。本発明のディスペンサーシステムは、たとえば頭髪用や皮膚用などの対象物、化粧品や医薬品などの製品分類、スプレーやフォームなどの吐出形態、正立や倒立などの使用形態などに応じて、吐出製品と吐出部材の嵌合できる形状を合わせることで、消費者の誤装着を防止できる。
【図面の簡単な説明】
【００３０】
【図１】図１Ａおよび図１Ｂはそれぞれ本発明の吐出装置の販売状態の実施形態を示す概略断面図である。
【図２】図２Ａおよび図２Ｂは図１の吐出装置の開封後および使用後の概略断面図、図２Ｃは他の実施形態を示す要部断面図である。
【図３】図３Ａおよび図３Ｂは本発明の吐出装置の他の実施形態を示す開封前および開封後の要部断面図である。
【図４】図４Ａ、図４Ｂおよび図４Ｃは本発明の吐出装置にかかわる二重容器、吐出製品および吐出装置の他の実施形態を示す断面図である。
【図５】図５Ａおよび図５Ｂは本発明の二重加圧容器の他の実施形態を示す蓋体溶着前および蓋体溶着後の要部断面図である。
【図６】図６Ａおよび図６Ｂは本発明の二重加圧容器のさらに他の実施形態を示す蓋体溶着前および蓋体溶着後の要部断面図である。
【図７】本発明の二重加圧容器のさらに他の実施形態を示す要部断面図である。
【発明を実施するための形態】
【００３１】
始めに図１Ａ、図１Ｂを参照して本発明の吐出装置の概略を説明する。図１Ａに示す吐出装置１０は、二重加圧容器１１と、吐出部材１２と、二重加圧容器１１に充填された原液Ｃおよび加圧剤（プロペラント）Ｐとからなる。二重加圧容器１１に原液Ｃと加圧剤Ｐを充填したものが吐出製品１１ａである。吐出製品１１ａと吐出部材１２は組み立て前のセット品として（図１Ａ参照）、あるいは半分組み立てた未開封の状態で（図１Ｂ）販売される。吐出製品１１ａは吐出部材１２と共に販売されるほか、交換用として単独でも販売される。吐出部材１２についても単独で販売されることがある。
【００３２】
前記二重加圧容器１１は外部容器１３と、その内部に収容されている可撓性を有する内部容器１４と、外部容器１３と内部容器１４を封止する蓋体１５とからなる。バルブやポンプは備えていない。内部容器１４の内部は原液Ｃを充填する原液収容室であり、外部容器１３と内部容器１４の隙間の空間は加圧剤Ｐを充填する加圧剤収容室である。それらは蓋体１５によって封止されている。
【００３３】
外部容器１３は半球状の底部１３ａと、その上端から連続する円筒状の胴部１３ｂと、その上端から連続する肩部１３ｃと、その上端から上向きに突出する厚肉円筒状の首部１３ｄとからなる。首部１３ｄの外周には雄ねじ１３ｅが形成されている。首部１３ｄの上端面１３ｆは蓋体１５を固着できるように略平坦にしている。なお、上端面１３ｆには環状突起（図３Ａの符号３６ｂ参照）を設けてもよい。底部１３ａを半球状とすることにより、耐圧性が向上し、落下時などの耐衝撃性も向上する。そのため、単品での流通や宅配便による配送時にも安全である。
【００３４】
内部容器１４も外部容器１３と同様に、底部１４ａ、胴部１４ｂ、肩部１４ｃおよび首部１４ｄからなる。内部容器１４の首部１４ｄの外面は外部容器１３の首部１３ｄの内面に密着している。内部容器１４の首部１４ｄの内面は滑らかな円筒面である。内部容器１４の首部１４ｄの上端には、外部容器１３の首部１３ｄの上端面１３ｆに係合するフランジを設けてもよい（図３Ａの符号３８ｂ参照）。内部容器１４の底部１４ａは外部容器１３の底部１３ａと当接しており、加圧剤を充填するときや蓋体１５を固着するときなど、内部容器１４が下がらないように支持されている。
【００３５】
外部容器１３および内部容器１４はいずれも合成樹脂製、とくにポリエチレンテレフタレート、ポリエチレンナフタレート、ポリエチレン、ポリプロピレンなどの熱可塑性樹脂製であり、たとえば外部容器用のプリフォームの中に内部容器用のプリフォームを入れ、肩部１３ｃ、１４ｃより下側を同時にブロー成形することにより製造することができる。とくに所定形状のプリフォームをインジェクション成形し、ついでブロー成形するインジェクション・ブロー成形法が好ましい。前述のように同時にブロー成形することにより、外部容器１３と内部容器１４は、首部１３ｄ、１４ｄを除いてほぼ同一の形状に成形することができる。外部容器１３は厚肉にして耐圧性をもたせており、内部容器１４は薄肉にして可撓性ないし可壊性をもたせている。なお、外部容器１３は、微細な気泡が混入しているプリフォームを用いてブロー成形すると、気泡が延伸されて外部容器１３が白色不透明になる。それにより内部容器１４の形状を隠すことができる。この場合、顔料を含有していないため、リサイクルしやすい。
【００３６】
前記蓋体１５は内部容器１４の首部１４ｄ内に挿入される有底筒状の封止部１５ａと、その上端に連続する環状のフランジ１５ｂとからなる。封止部１５ａの底部１５ｃには、薄肉にされた被開封部１５ｄが設けられている。被開封部１５ｄは、後述する開封部２７で開封しやするために、環状の薄肉部あるいは環状溝などの弱め線で形成することができる。また、封止部１５ａや被開封部１５ｄは、成形時の冷却条件などで部分的に硬くし、開封時の延伸を抑制し、破断しやすくしてもよい。封止部１５ａの筒部の外周面は、内部容器の首部１４ｄの内面との間で、蓋体１５を内部容器の首部１４ｄに装着する際に内部容器１４内の空気を排出することができ、かつ、内部容器１４内の原液Ｃを液封できる嵌合状態であることが好ましい。また、封止部１５ａの筒部の内周面は、被開封部１５ｄを開封する際に弁とのシールを形成し原液が漏出しないように滑らかな円筒面にすることが好ましく、下に向かって縮径されるテーパー状としてもよい。蓋体１５のフランジ１５ｂは、原液Ｃや加圧剤Ｐの充填後、超音波溶着、レーザー溶着、高周波溶着などによって外部容器１３の首部１３ｄの上端面１３ｆおよび内部容器１４の首部１４ｄの上端面１４ｅに固着され、同時に封止される。
【００３７】
蓋体１５の材料は外部容器１３や内部容器１４との熱接合性が高い熱可塑性樹脂が用いられ、溶着で固着する場合は外部容器１３や内部容器１４と同じ材料を用いることが好ましい。蓋体１５は、溶着するほか、接着剤で接着してもよい。蓋体１５で原液収容室と加圧剤収容室を封止すると共に、内部容器１４または外部容器１３のいずれか、あるいは両方に固着することにより、内容物（原液Ｃ、加圧剤Ｐ）を長期間安全に、漏れないように保管しておくことができる。
【００３８】
原液Ｃとしては、洗顔剤、洗浄剤、入浴剤、保湿剤、クレンジング剤、日焼け止め、化粧水、シェービング剤、脱毛剤、制汗剤、殺菌消毒剤、害虫忌避剤などの皮膚用品、トリートメント剤、スタイリング剤、染毛剤などの頭髪用品などの人体用品、ホイップクリームなどの食品、消臭剤、芳香剤、殺虫剤、防虫剤、花粉除去剤、殺菌剤などの家庭用品などである。但し、これらの用途に限られるわけではない。原液Ｃは被開封部１５ｄの内面側と接触させるのが好ましい。それにより、蓋体１５と外部容器１３や内部容器１４との溶着時に被開封部１５ｄが原液Ｃで冷やされる。そのため、被開封部１５ｄが熱で溶ける問題を解消できる。
【００３９】
加圧剤Ｐとしては窒素ガス、圧縮空気、炭酸ガスなどの圧縮ガスが好ましい。加圧剤により二重加圧容器内の圧力を０．１〜０．５ＭＰａ（２５℃、ゲージ圧）、とくに炭酸飲料と同程度の圧力０．３〜０．５ＭＰａ（２５℃、ゲージ圧）にするのが好ましい。また、外部容器の容量は３０〜５００ｍｌであることが好ましい。内部容器（原液収容室）１４の容量は２０〜３００ｍｌ程度が好ましい。加圧剤収容室の容量は１０〜２００ｍｌ程度が好ましい。
【００４０】
上記のように、二重加圧容器１１は部品数が少なく、バルブのような動作する部位がないので、安価に製造することができる。そして二重加圧容器１１の圧力が低く、炭酸飲料などと同程度であるので、消費者が持ち運んだり、流通業者が配送したりするときに安全である。また、万一、外部容器１３にひびが入っても、加圧剤Ｐが漏れるだけで原液Ｃは漏れない。そのため一層安全である。
【００４１】
前記吐出部材１２は、外部容器１３の首部１３ｄの雄ねじ１３ｅと螺合するキャップ（装着部）２０と、そのキャップ２０によって保持されるバルブ（弁）２１と、バルブ２１のステム２２に装着される操作ボタン（操作部）２３とからなる。キャップ２０は有底筒状で、内周面に雌ねじが形成されている。そして上底２０ａにバルブ２１のハウジング２４の上部を保持する浅い有底筒状のバルブ保持部２０ｂが上向きに突出するように設けられ、その中央にステム２２を通す孔２０ｃが形成されている。
【００４２】
バルブ２１は、有底筒状のハウジング２４と、その内部に上下移動自在に収容されるステム２２と、そのステム２２を上向きに付勢するバネ２５と、ハウジング２４の上端とバルブ保持部２０ｂの上底面の間に介在されるステムラバー２６とからなる公知の基本構造を有する。さらにこの実施形態では、ハウジング２４の下端に下向きに突出する細い筒状の開封部２７が設けられており、ハウジング２４の下部外周にＯリングなどのシール部材２８が装着されている。開封部２７の下端２７ａは、被開封部１５ｄを破り易いように鋭くしている。シール部材２８は、開封時および開封後に蓋体１５の封止部１５ａの内周面とハウジング２４の間をシールするものである。
【００４３】
前記二重加圧容器１１と吐出部材１２は、流通、販売時に、図１Ｂに示すようにキャップ２０を外部容器１３に取り付けて、緩く螺合して仮に結合しておく。それにより、購入した消費者は容易に開封操作をすることができる。この状態では、シール部材２８は封止部１５ａの内面に当接していない。図１Ａのように吐出製品１１ａと吐出部材１２を組み立てずにセットとして販売、流通することもある。
【００４４】
使用者が吐出装置１０を購入して使用する場合、まずキャップ２０をねじ込む。それによりシール部材２８が蓋体１５とハウジング２４の間をシールする。ついでキャップ２０をさらにねじ込むと、ハウジング２４の開封部２７の下端２７ａが蓋体１５の被開封部１５ｄを突き破り、ハウジング２４内と内部容器１４内である原液収容室とを連通する（図２Ａ参照）。
【００４５】
被開封部１５ｄが破られたとき、被開封部１５ｄの内周と開封部２７の外周の隙間から原液Ｃが漏れる場合がある。しかし封止部１５ａとハウジング２４の間はシール部材２８でシールされているので、原液Ｃは封止部１５ａ内に留まり、外部に漏れることがない。また、内圧がハウジング２４を押し上げるように作用するが、キャップ２０と外部容器１３とが螺合しているので、吐出部材１２の飛び出しが抑制される。
【００４６】
原液収容室内の原液Ｃは内部容器１４を介して加圧剤Ｐによって加圧されているので、使用者がステム２２に取り付けた操作ボタン２３を押すと、ステム２２が下降してステムラバー２６が撓み、ステム孔が開き、内部容器１４内の原液Ｃが開封部２７、ハウジング２４、ステム２２および操作ボタン２３を経由して外部に吐出される。押すのをやめるとステム２２が上昇し、吐出が停止する。加圧剤Ｐを充填している加圧剤収容室は閉じられ、外部や原液収容室と連通していないので、加圧剤Ｐは外部に漏れない。
【００４７】
内部容器１４内の原液Ｃが少なってくると、図２Ａの想像線で示すように、内部容器１４が収縮していく。そして全量吐出した後は、図２Ｂに示すように、内部容器１４は壁同士が密着し、扁平になる。また、内部容器１４はブロー成型により成型されているため、首部１４ｄの下端から肩部１４ｃは胴部１４ｂよりも肉厚である。そのため、肩部１４ｃは最後に変形して首部１４ｄの中に押し上げられる。この状態でキャップ２０を外部容器１３から取り外す。二重加圧容器１１は、加圧剤Ｐとして圧縮ガスを使用しているため、原液Ｃがなくなると圧力は０．０１〜０．２ＭＰａ（ゲージ圧）程度に低くなるが、外部容器１３内の加圧剤Ｐを放出するために、図２Ｃに示すように、封止部１５ａの底部に下方に延びるスパイク１５ｅを設け、内部容器１４が収縮して肩部１４ｃが押し上げられたときに自動的に孔があくようにすることが好ましい。これにより、外部容器１３内の加圧剤Ｐを安全に放出することができ、外部容器１３を押しつぶして減容し、廃棄することができる。なお、取り外した吐出部材１２は新しい二重加圧容器１１に装着して再利用する。スパイク１５ｅは複数本、下方に突出させるのが好ましい。
【００４８】
つぎに図３Ａ、図３Ｂを参照して吐出装置の他の実施形態を説明する。図３Ａの吐出装置３０の二重加圧容器３１および吐出部材３２は、図１Ａ、図１Ｂの二重加圧容器１１および吐出部材１２と基本的な構造が同一で、部分的に変更したものである。
【００４９】
二重加圧容器３１は、外部容器３３と、内部容器３４と、蓋体３５とからなる。外部容器３３の首部３６の上端面３６ａには、超音波溶着のときに蓋体３５との当接圧を高くしてシールポイントをつくるための環状突起３６ｂが形成されている。蓋体３５側に環状突起を設けてもよく、両方に設けてもよい。そして上端面３６ａの内部側には傾斜部３６ｃが複数個設けられており、超音波溶着のときに溶けた樹脂が冷やされてできた樹脂片がはみ出ないように収容するための空間となる。内部容器３４の首部３８の上端面３８ａは外部容器３３の上端面３６ａより突出しており、その突出している部位に外部容器３３の上端面３６ａと係合するフランジ３８ｂが形成されている。フランジ３８ｂの厚さ（半径方向の寸法）は、外部容器３３の首部３６の厚さの１／３〜１／２程度である。内部容器３４の首部３８の上端面３８ａにも、蓋体３５との当接圧を高くしてシールポイントを形成するための溶着用の環状突起３８ｃが形成されている。このような環状突起は蓋体３５側に設けてもよく、両方に設けてもよい。
【００５０】
内部容器３４のフランジ３８ｂの下面には、半径方向に延びる加圧剤充填用の横溝３８ｄが形成されている。さらに内部容器３４の首部３８の外周面には、その横溝３８ｄと連続する縦溝３８ｅが形成されている。内部容器３４の首部３８の上部は、縦溝３８ｅを除き、外部容器３３の首部３６の内周面と密に嵌合している。
【００５１】
前記蓋体３５は、内部容器３４の首部３８に挿入される有底筒状の封止部３９と、その上端に連続する環状のフランジ４０とからなる。内部容器３４の首部３８の内面と封止部３９の外面の間は、蓋体３５を内部容器の首部３８に装着する際に内部容器３４内の空気を排出することができ、かつ、内部容器３４内の原液を液封できる嵌合状態であることが好ましい。封止部３９の底部の中央には、下向きに突出する筒状の嵌合筒部４１が設けられている。そして嵌合筒部４１の下端からいくらか上に底部４２が設けられ、その底部４２の中央に、環状の弱め線４３で囲まれた被開封部４４が設けられている。弱め線４３は未開封では充分なシール機能があり、かつ、容易に破断できる形状とする。この実施形態では、弱め線４３はＶ溝で形成している。
【００５２】
嵌合筒部４１の下端より少し上に底部４２を設けているのは、底部４２の剛性を高めて弱め線４３の破断を容易にするためである。嵌合筒部４１の径を封止部３９の径より小さくしているのは、嵌合筒部４１の内面の成形精度を高めるためと、吐出部材３２のシール部材４５で囲まれる内圧を受ける面積を小さくして蓋体３５に加わる上向きの力を弱くするためである。さらに下向きに突出するバルブ保持部２０ｂを収容するスペースを確保するためである。嵌合筒部４１の下端は円筒状でもよいが、下端と底部４２との間に気体が溜まらないように溝を設けてもよく、また、内部容器３４を貫通するためのスパイクを設けてもよい（図２Ｃの符号１５ｅ参照）。
【００５３】
蓋体３５のフランジ４０は、封止部３９の上端から半径方向外向きに拡がる環状円板部４６と、その環状円板部４６の外縁から下向きに延びる外筒部４７とからなる。環状円板部４６の下面は内部容器３４の首部３８の上端面３８ａと当接してシールする部位で、外筒部４７の下面は外部容器３３の首部３６の上端面３６ａと当接してシールする部位である。この実施形態でも、これらのシールする面は超音波溶着などで接合とシールを同時に行うようにしている。
【００５４】
前記吐出部材３２は、キャップ２０と、そのキャップ２０によって保持されるバルブ２１と、バルブ２１のステム２２に装着される操作ボタン（図４Ｃ参照）とからなる。この実施形態では、キャップ２０の中央から下向きに筒状のバルブ保持部２０ｂが突出している。バルブ２１は、ハウジング２４と、その内部に上下移動自在に収容されるステム２２と、そのステム２２を上向きに付勢するバネ２５と、ステムラバー２６とからなる。ハウジング２４の外周には環状溝が形成され、その環状溝にＯリングなどのシール部材４５が収容されている。これらは図１Ａ、図１Ｂの実施形態と実質的に同一であるので、詳細な説明は省略する。
【００５５】
この実施形態では、ハウジング２４の下端が略円錐状の突起からなる開封部２７とされている。開封部２７には図３Ｂに示すように、開封後にハウジング２４内と内部容器３４内とを連通する連通孔４８ａおよび縦溝４８ｂが形成されている。連通孔４８ａおよび縦溝４８ｂは１カ所でよいが、複数設けることもできる。そして開封部２７の下端２７ａには、被開封部４４の上面と接近ないし当接する端面が形成されている。この端面の位置は、図３Ａに示すように、キャップ２０を外部容器３３の雄ねじに１〜２回程度螺合させたときに被開封部４４と当接する位置である。したがって出荷時にはキャップ２０を緩く螺合させて被開封部４４を破断せず、シール状態のまま吐出部材３５と二重加圧容器３１とを結合させておくことができる。
【００５６】
使用者が使用するときは、キャップ２０を数回回転させるだけで開封することができる。キャップ２０を回転させると、キャップ２０全体およびバルブ２１が下降し、図３Ｂに示すように、開封部２７の端面２７ａが被開封部４４を押し破る。弱め線４３は、例えば１カ所だけ形成しないか、あるいはＶ溝を浅くしておくと、開封時に被開封部４４が脱落せず、底部４２からぶら下がった状態となって残る。そのため、連通孔４８ａが自由になった被開封部４４によって塞がれないという利点がある。連通孔４８ａを複数設けておくと、１カ所が塞がっても他の連通孔４８ａで連通できる。
【００５７】
図４Ａに示す二重容器５０は、外部容器３３と、その内部に収容された内部容器３４とからなる。蓋体はまだ設けていない。この実施形態では、外部容器３３の底部３３ａが、環状の平坦面５１と、その中央に設けられる上向きに突出するドーム状の突出部５２とを備えている。内部容器３４についても外部容器３３と同様の底部３４ａを有する。ペタロイド型としてもよい。このものはテーブルなどの平坦な面の上にそのまま安定して載置することができる。また、外部容器３３の首部３６の外周に環状のサポート部５３が設けられている。サポート部５３は、二重容器５０の搬送や、原液充填、加圧剤充填、蓋体溶着などの製造工程で爪やホルダーなどで保持される。他の点は図１Ａの二重容器と実質的に同じである。
【００５８】
図４Ｂの吐出製品３１ａは、図４Ａの二重容器５０の内部容器３４の内部（原液収容室）に原液Ｃを充填し、内部容器３４と外部容器３３の間（加圧剤収容室）に加圧剤（プロペラント）Ｐを充填し、内部容器３４と外部容器３３の上端開口を蓋体３５で封止したものである。蓋体３５は図３Ａの蓋体３５と同様であり、蓋体３５の嵌合筒部の底部４２に被開封部４４を備えている。蓋体３５のフランジ４０は外部容器３３の首部３６の上端および内部容器３４の首部３８の上端に超音波溶着している。超音波溶着に代えて接着剤で接着してもよい。
【００５９】
この吐出製品３１ａは、蓋体３５で密封しており、開封するためのバルブがなく、被開封部４４が内部にあるため、輸送時の安全性が高い。とくに外部容器３３と内部容器３４が合成樹脂製であり、内部容器３４は加圧剤Ｃで囲まれ、さらに外部容器３３で囲まれているので、吐出製品３１ａの弾力性が高く、落としても割れにくい。また、被開封部４４が内部にあるので、誤って被開封部４４が破断されるおそれが少なく、一層安全である。
【００６０】
図４Ｃの吐出装置３０は、図４Ｂの吐出製品３１ａに吐出部材３２を装着したものであり、開封した状態で示している。吐出部材３２は、キャップ２０と、そのキャップ２０に保持されるバルブ２１と、バルブ２１のステム２２に取り付けた操作ボタン（アクチュエータ）２３とからなる。キャップ２０およびバルブ２１は、図３Ａの吐出部材３２のキャップ２０およびバルブ２１と実質的に同一である。操作ボタン２３は、図１Ａの操作ボタン２３と実質的に同一である。
【００６１】
上記のように本発明の吐出装置は、原液収容室が空になった後、吐出部材を取り外して新しい吐出製品に付け替えることができる。しかし例えば殺虫剤の散布に使用していた吐出部材をヘアケア製品の吐出製品に取り付けると健康を害するおそれがある。さらに異なる種類の原液が混ざって予期しない化学反応を生ずるおそれもある。本発明のディスペンサーシステムは、特定のグループの吐出部材を他のグループの吐出製品に装着できないようにすることにより、上記問題を防ぐことができる。
【００６２】
たとえば、原液の種類ごとに蓋体の封止部とハウジングが嵌合する部位の寸法や形状を変えたり、キャップの内径寸法やネジのピッチを変えたりして、異なる種類同士の使い回しを防ぐようにする。また、危険性が高い場合を確実に防ぎ、低い場合は許容する、といった組み合わせも考えられる。
【００６３】
図１の二重加圧容器１１では、外部容器１３の首部１３ｄの上端面１３ｆと内部容器１４の首部１４ｄの上端面１４ｅが同じ高さにされており、蓋体１５のフランジ１５ｂを両方の首部１３ｄ、１４ｄの上端面１３ｆ、１４ｅに当接させ、フランジ１５ｂの上面にホーン（図５Ａの符号Ｈ）を当接させて超音波溶着するとき、フランジ１５ｂの同じ厚さの部分を介して振動が伝達される。したがって振動が略均等に伝達され、両方を同程度で溶着することができる。片側だけが溶着され、他方の溶着が不充分といった問題は生じない。
【００６４】
図５Ａの二重加圧容器５５は、図１Ａの二重加圧容器１１と同様に、外部容器１３と、内部容器１４と、蓋体（プラグ）１５とからなる。内部容器１４内が原液収容室Ｓｃであり、外部容器１３と内部容器１４の間が加圧剤収容室Ｓｐである。外部容器１３は図４の外部容器３３とほぼ同一で、底部、胴部、肩部１３ｃおよび首部１３ｄを有する。ただしこの二重加圧容器５５では、外部容器１３の首部１３ｄの上端面１３ｆの内周側に、環状段部１３ｈが形成されている。なお、上端面の外周側に突壁１３ｉが設けられているとみることもできる。
【００６５】
他方、内部容器１４は図４の内部容器３４と実質的に同一であり、底部、胴部、肩部１４ｃおよび首部１４ｄとからなる。この内部容器１４でも、首部１４ｄの上端の外周にはフランジ１４ｆが設けられている。フランジ１４ｆの上下方向の厚さは環状段部１３ｈの深さと同一にされており、フランジ１４ｆの外径は環状段部１３ｈの内径より小さくしている。それによりフランジ１４ｆを環状段部１３ｈに係合させることができる。係合させた状態では、外部容器１３の首部１３ｄの上端面１３ｆと内部容器１４の首部１４ｄの上端面１４ｅ、すなわちフランジ１４ｆの上端面の高さが同一になる。
【００６６】
外部容器１３の首部１３ｄの上端面１３ｆには、超音波溶着のときに蓋体１５との当接圧を高くしてシールポイントをつくるための環状突起１３ｇが形成されている。内部容器１４の首部１４ｄの上端面１４ｅにも、超音波溶着のときに蓋体１５との当接圧を高くしてシールポイントをつくるための環状突起１４ｇが形成されている。
【００６７】
蓋体１５は内部容器１４の首部１４ｄ内に挿入される有底筒状の封止部１５ａと、その上端から外向きに拡がる円板状のフランジ１５ｂとからなる。封止部１５ａは上部の内筒部１５ａ１と、下方の細い円筒状の嵌合筒部（バルブ収容部）１５ａ２と、底部１５ｃからなる。嵌合筒部１５ａ２の内周面は円筒面とされ、吐出部材の嵌合後にシール部材（図１Ａの符号２８、図３Ａの符号４５）が密接する部位である。底部１５ｃには、厚肉にされた被開封部１５ｄが設けられている。被開封部１５ｄは、開封部（図１Ａ、図３Ｂの符号２７）で開封しやすくするため、環状の薄肉部あるいは環状溝などの弱め線１５ｆで囲んでいる。また、底部１５ｃに補強部（補強リブ）１５ｇを設け、その部位では弱め線を設けず、開封部で破断されたとき、補強部１５ｇで底部１５ｃと繋がってぶら下がるようにしている。ただし補強部１５ｇを設けず、被開封部１５ｄが脱落するようにしてもよい。
【００６８】
また、図５Ａの二重加圧容器では、被開封部１５ｄは底部１５ｃより厚くして上向きに突出させている。それにより被開封部１５ｄの上面の受圧部１５ｄ１が吐出部材の開封部（図３の符号２７）で押されたとき、被開封部１５ｄが変形しにくくなり、弱め線１５ｆで破断しやすくなる。
【００６９】
前述のように、外部容器１３の上端面１３ｆと内部容器の上端面１４ｅの高さが同一であるので、蓋体１５のフランジ１５ｂの厚さ（上下方向の寸法）は均一にできる。そのため、蓋体１５の上面にホーンＨを当接して超音波溶着をするとき、フランジ１５ｂと外部容器１３の上端面１３ｆの当接圧とフランジ１５ｂと内部容器１４の上端面１４ｅの当接圧をほぼ同一にすることができ、図５Ｂに示すように、両方の溶着部Ｙ１、Ｙ２の溶着を同程度にすることができる。すなわち、一方を溶着したときに他方の溶着が不充分といった問題は生じない。なお、内部容器１４のフランジ１４ｆは、外部容器の環状段部１３ｈで支えられているので、ホーンＨを押し当てる力は逃げない。
【００７０】
図５Ａの二重加圧容器５５においても、内部容器１４のフランジ１４ｆの下面には、半径方向に延びる加圧剤充填用の横溝１４ｈが形成されている。さらに内部容器１４の首部１４ｄの外周面には、その横溝１４ｈと連続する縦溝１４ｉが形成されている。内部容器１４の首部１４ｄの上部は、縦溝１４ｉを除き、外部容器１３の首部１３ｄの内周面と密に嵌合している。また、内部容器１４のフランジ１４ｆの外周面のうち、前記横溝１４ｈと対応する部位には、縦方向に延びる加圧剤充填用の切り欠き溝１４ｆ１が形成されている。
【００７１】
図６Ａに示す二重加圧容器５６は、超音波溶着のときに蓋体１５との当接圧を高くしてシールポイントをつくるための環状突起を外部容器１３や内部容器１４に設けず、蓋体１５側に設けている。すなわち、外側容器１３の首部１３ｄの上端面１３ｆおよび内側容器のフランジ１４ｆの上端面１４ｅは平坦にされており、蓋体１５のフランジ１５ｂの下面に外部容器１３の上端面１３ｆとの間にシールポイントをつくるための環状突起１５ｂ１を設けている。さらに蓋体１５のフランジ１５ｂの下面と封止部１５ａの外周面の付け根（基部）に、内部容器１４の首部１４ｄの上端内周の角部との間にシールポイントをつくるための傾斜部（隅肉部）１５ｂ２を形成している。他の点は図５Ａの二重加圧容器５５と同様である。
【００７２】
このように構成される二重加圧容器５６は、超音波溶着後は図６Ｂに示すように、外部容器１３の上端面１３ｆと蓋体１５のフランジ１５ｂとの間に溶着部Ｙ１が形成され、蓋体１５の傾斜部１５ｂ２と内部容器１４の上端内周の角部との間に溶着部Ｙ３が形成される。傾斜部１５ｂ２による溶着部Ｙ３は、内部容器１４と水平面（上端面１４ｅ）と垂直面（内周面）の２面で溶着するので、溶着強度およびシール性が高い。
【００７３】
図７に示す二重加圧容器５８では、略円筒状の封止部１５ａが下方まで延びており、その封止部１５ａの内側に嵌合筒部１５ａ２が同心状に設けられている。嵌合筒部１５ａ２は封止部１５ａの底部の中央部から上向きに立ち上がり、上端で開口している。そして封止部１５ａの上部は略円筒状であり、下部１５ａ３は下に向かって細くなるテーパー状である。ただし上部から下部にかけて円筒状であってもよい。
【００７４】
他方、内部容器１４の首部１４ｄは、封止部１５ａの外周面とほぼ密接する形状にされており、円筒状の上部１４ｄ１と、それより下に向かって細くなるテーパー部１４ｄ２と、その下端から下に延びる円筒部１４ｄ３とからなる。円筒部１４ｄ３の下端は肩部１４ｃに連続している。すなわち、内部容器１４の首部１４ｄのテーパー部１４ｄ２、円筒部１４ｄ３および肩部１４ｃの上部は、くびれ部を形成している。
【００７５】
嵌合筒部１５ａ２の底部１５ｃに弱め線１５ｆで囲まれた被開封部１５ｄを設ける点は、図１Ａおよび図３Ａの二重加圧容器１１と同様である。ただし図７の二重加圧容器５８では、被開封部１５ｄの上面に受圧部１５ｄ１を設けている。そのため、被開封部１５ｄが変形しにくくなり、吐出部材の開封部（図１Ａの符号２７）による被開封部１５ｄの破断が容易である。また、蓋体１５の上面外周に切り欠き１５ｈを設けている。この切り欠き１５ｈは、蓋体１５の上面にホーンを押し当てて超音波溶着をするとき、外部容器１３の首部上端の環状突起１３ｇにホーンの振動が集中しやすくなる。
【００７６】
図７の蓋体１５は、封止部１５ａの内側に嵌合筒部１５ａ２が設けられており、前述のテーパー状の下部１５ａ３の下端１５ａ４と嵌合筒部１５ａ２から下方に延びる下部筒部１５ａ５の下端とが連結部１５ａ６で繋がっている。また、下部筒部１５ａ５の下端よりいくらか上を閉じる底部１５ｃに前記開封部１５ｄが設けられている。そのため、蓋体１５の上面にホーンを押し当てて超音波溶着をするとき、ホーンの振動は封止部１５ａを通り、その下端１５ａ４から原液Ｃ側に流れやすい（矢印Ｂ参照）。また、開封部１５ｄは連結部１５ａ６よりも上に設けられているため、振動が開封部１５ｄに伝わりにくい。したがって弱め線１５ｆの溶解や貫通などが防止される。
【００７７】
図７の二重加圧容器５８は、内部容器１４の首部１４ｄにテーパー部１４ｄ２および円筒部１４ｄ３からなるくびれ部を形成し、そのくびれ部が蓋体１５の封止部１５ａと密接しているので、内部容器１４に原液Ｃを充填したとき、気相部Ｇｐ（ヘッドスペース）が小さくなる。したがって、消費者が使用を開始する際に気相部Ｇｐで圧縮されている気体により原液Ｃが勢いよく吐出されて飛び散る、また吐出時に原液Ｃに気体が混じり、原液Ｃが不連続で吐出されるなどの問題が生じにくく、吐出がスムーズになる。特に、原液中にイソペンタンや１−クロロ−３，３，３−トリフルオロプロペンなどの沸点が１０〜３５゜Ｃである発泡剤を含有した後発泡性ゲル組成物もしくは後発泡性クリーム組成物を充填した場合であっても、気相部Ｇｐが小さいことにより充填直後の発泡を防止して、ゲル状やクリーム状に吐出することができる。
【００７８】
以上、本発明の好ましい実施形態について説明したが、本発明はこれらの実施形態に限定されるものではなく、発明の範囲内で種々の変形を行うことができる。前記実施形態では、蓋体は内部容器と外部容器の両方に溶着しているが、いずれか一方に固着し、他方とは単にＯリングなどで封止（シール）するだけでもよい。また、前記実施形態では、内部容器と外部容器を同時にブロー成形して製造するとしているが、別々に製造し、その後、内部容器を外部容器の内部に収容するようにしてもよく、成形した外部容器の中で、内部容器をブロー成形してもよい。図３Ａなどのシールポイントを確実にできる環状突起３８ｃ、３６ｂは、図１Ａの外部容器１３、内部容器１４、蓋体１５に設けることもできる。
【００７９】
図７の二重加圧容器５８において、内部容器１４の首部１４ｄおよび蓋体１５の封止部１５ａの下部１５ａ３をストレートの円筒状とすることもできる。しかし内部容器１４の首部１４ｄにくびれ部を設け、蓋体１５の封止部１５ａの下部１５ａ３をテーパー状にするほうが、気相部Ｇｐの径および容積を小さくすることができるので、好ましい。
【符号の説明】
【００８０】
１０  吐出装置
１１  二重加圧容器
１１ａ  吐出製品
１２  吐出部材
Ｃ  原液
Ｐ  加圧剤
１３  外部容器
１３ａ  底部
１３ｂ  胴部
１３ｃ  肩部
１３ｄ  首部
１３ｅ  雄ねじ
１３ｆ  上端面
１４  内部容器
１４ａ  底部
１４ｂ  胴部
１４ｃ  肩部
１４ｄ  首部
１４ｅ  上端面
１５  蓋体
１５ａ  封止部
１５ｂ  フランジ
１５ｃ  底部
１５ｄ  被開封部
１５ｅ  スパイク
２０  キャップ
２０ａ  上底
２０ｂ  バルブ保持部
２０ｃ  （ステムを通す）孔
２１  バルブ
２２  ステム
２３  操作ボタン
２４  ハウジング
２５  バネ
２６  ステムラバー
２７  開封部
２７ａ  下端
２８  シール部材
３０  吐出装置
３１  二重加圧容器
３１ａ  吐出製品
３２  吐出部材
３３  外部容器
３３ａ  底部
３４  内部容器
３４ａ  底部
３５  蓋体
３６  首部
３６ａ  上端面
３６ｂ  環状突起
３６ｃ  傾斜面
３８  首部
３８ａ  上端面
３８ｂ  フランジ
３８ｃ  環状突起
３８ｄ  横溝
３８ｅ  縦溝
３９  封止部
４０  フランジ
４１  嵌合筒部
４２  嵌合筒部の底部
４３  弱め線
４４  被開封部
４５  シール部材
４６  環状円板部
４７  外筒部
４８ａ  連通孔
４８ｂ  縦溝
５０  二重容器
５１  平坦面
５２  突出部
５３  サポート部
５５  二重加圧容器
Ｈ  ホーン
１３ｇ  環状突起
１３ｈ  環状段部
１３ｉ  突壁
１４ｆ  フランジ
１４ｆ１  切り欠き溝
１４ｇ  環状突起
１４ｈ  横溝
１４ｉ  縦溝
１５ａ１  内筒部
１５ａ２  嵌合筒部
１５ａ３  封止部の下部
１５ａ４  封止部の下端
１５ａ５  下部筒部
１５ａ６  連結部
１５ｂ１、１５ｂ３  環状突起
１５ｂ２  傾斜部
１５ｃ  底部
１５ｄ  被開封部
１５ｆ  弱め線
１５ｇ  補強部
Ｙ１、Ｙ２、Ｙ３  溶着部
５６、５８  二重加圧容器
１４ｄ１  上部
１４ｄ２  テーパー部
１４ｄ３  円筒部
１５ｈ  切り欠き
Ｇｐ  気相部
Ｂ  振動が伝わる矢印
【図１】
2020019570.tif 000003
【図２】
2020019570.tif 000004
【図３】
2020019570.tif 000005
【図４】
2020019570.tif 000006
【図５】
2020019570.tif 000007
【図６】
2020019570.tif 000008
【図７】
2020019570.tif 000009